(57)【要約】【課題】回転駆動装置を内蔵する燃焼装置を建物の壁面に固定した場合に発生する居室内の不快な騒音を、簡単確実に防止することを目的とする。【解決手段】振動源を内蔵する機器の建物の壁面への取付けを、振動を減衰させる効果を持つ制振鋼板により形成した取付部材を用いて行う。これによれば、機器の振動は壁に伝播する前に取付部材により吸収されるため、振動の壁への伝播は簡単確実に抑制され、機器の振動による不快な騒音は軽減される。【選択図】        図１
2005009748.tif 000002
【特許請求の範囲】
【請求項１】
ポンプ、ファン等の回転駆動装置を内蔵し、建物の壁面に取り付けられる燃焼装置において、
上記燃焼装置の機器本体を壁面へ取り付けるための取付部材の少なくとも一部を制振鋼板で形成したことを特徴とする燃焼装置。
【請求項２】
ポンプ、ファン等の回転駆動装置を内蔵し、建物の壁面に取り付けられる燃焼装置において、
上記燃焼装置の本体ケーシングの少なくとも一部を制振鋼板で形成したことを特徴とする燃焼装置。
【請求項３】
ポンプ、ファン等の回転駆動装置を内蔵し、建物の壁面に取り付けられる燃焼装置において、
上記回転駆動装置を上記本体ケーシングへ固定するための固定部材の少なくとも一部を制振鋼板で形成したことを特徴とする燃焼装置。
【発明の詳細な説明】
【０００１】
【発明の属する技術分野】
本発明は、ポンプ、ファン等の回転駆動装置を内蔵し、建物の壁面に設置される燃焼装置の防振構造に関する。
【０００２】
【従来の技術】
一般に屋外壁掛設置型風呂付給湯器は、図５に示すように、上部ブラケット５ａ及び下部ブラケット５ｂを介して建物の壁面Ｗに取り付けられるが、機器本体内に設けられたポンプ、ファン等の回転駆動装置の振動がブラケット５ａ、５ｂを介して壁面Ｗに伝わり、居室内で騒音を発生させる問題があった。
【０００３】
そこでこの問題を解決するため、従来より機器の振動の壁への伝達を防止するために、特許文献１に示すようにブラケット５ａ、５ｂにそれぞれ弾性ゴムを設ける手法が用いられてきた。
【０００４】
【特許文献１】
特開２００１−３３００７９号公報
【０００５】
この防振技術についての方法を図６を用いて説明する。
図６は、従来における取付部の断面図である。
図６に示すように、取付部１０５はブラケット１０３とゴム製のブッシュ１１５と角筒状のスリーブ１１６とから構成される。
ブラケット１０３は、取付孔部１０４にフランジ部１１４を備え、このフランジ部１１４に、弾性部材であるゴム製のブッシュ１１５が取り付けられている。
防振ゴム製のブッシュ１１５の内周面には、金属製の角筒状のスリーブ１１６が嵌合されている。
【０００６】
このような取付部材を用いて風呂付給湯器１を壁面Ｗに取り付けた場合には、図７に示すように、ブラケット１０３と壁面Ｗ、およびブラケット１０３と係止部材とがそれぞれゴム製のブッシュ１１５を間に挟むように取り付けられる。
従って、風呂付給湯器１の振動はブラケット１０３に伝わった後、壁Ｗに伝わる前にゴム製のブッシュ１１５で吸収されるため、壁面Ｗに伝わる振動は軽減されるのである。
【０００７】
【発明が解決しようとする課題】
しかしながら、上記従来技術では、取付部１０５に弾性ゴムを用いていることから、以下の様な問題点があった。
まず、機器を屋外に設置する場合、ゴムブッシュ１１５は防振性だけでなく耐候性も必要とされるが、そうした性質を持つゴム材料はコストが高い。
また、弾性ゴムの付加により取付部１０５の部品点数は増加し、組立時の作業が煩雑になる。
【０００８】
本発明は、上記課題を解決するためになされたものであり、安価な製造コストで簡単確実に機器の振動にともなう不快な騒音を軽減する防振構造を提供する。
【０００９】
【課題を解決するための手段】
上記課題を解決する本発明の請求項１記載の機器の防振構造は、ポンプ、ファン等の回転駆動装置を内蔵し、建物の壁面に取り付けられる燃焼装置において、
上記燃焼装置の機器本体を壁面へ取り付けるための取付部材の少なくとも一部を制振鋼板で形成したことを要旨とする。
【００１０】
また、上記課題を解決する本発明の請求項２記載の機器の防振構造は、ポンプ、ファン等の回転駆動装置を内蔵し、建物の壁面に取り付けられる燃焼装置において、
上記燃焼装置の本体ケーシングの少なくとも一部を制振鋼板で形成したことを要旨とする。
【００１１】
また、上記課題を解決する本発明の請求項３記載の機器の防振構造は、ポンプ、ファン等の回転駆動装置を内蔵し、建物の壁面に取り付けられる燃焼装置において、
上記回転駆動装置を上記本体ケーシングへ固定するための固定部材の少なくとも一部を制振鋼板で形成したことを要旨とする。
【００１２】
上記構成を有する本発明の請求項１記載の燃焼装置は、機器本体を壁に取り付けるための取付部材が機器本体から壁面に伝わる振動を吸収する。
そのため、回転駆動体を備えた燃焼装置を、振動の影響を受けやすい軽量性の壁に設置した場合であっても、居室内の騒音を軽減することができる。
また、本体ケーシング内部で発生した振動については、振動源が特定できない場合であっても、取付部材で確実に吸収するため壁面への伝播を抑制することができる。
【００１３】
また、上記構成を有する本発明の請求項２記載の燃焼装置は、機器本体ケーシングが、燃焼装置の内部で発生したポンプ、ファン等回転駆動装置の振動を吸収する。
そのため、機器本体の内部で発生した振動を簡単な構造で吸収し、居室内の該振動に起因する不快な騒音を防止することができるばかりでなく、回転駆動装置自体が振動による騒音を発生させた場合でも、機器が設置された周囲に対しての該振動に起因する騒音を防止することができる。
【００１４】
また、上記構成を有する本発明の請求項３記載の燃焼装置は、ポンプ、ファン等を本体ケーシングに固定するための固定部材が、ポンプ、ファン等から本体ケーシングに伝播する振動を吸収する。
そのため、ポンプ、ファン等の回転駆動装置により発生した振動は、本体ケーシングまで伝達せずに吸収される。
【００１５】
【発明の実施の形態】
以上説明した本発明の構成、作用を一層明らかにするために、以下、本発明の機器の防振構造の好的な実施形態について説明する。
【００１６】
図２は、一実施形態としての防振構造を備えた屋外壁掛設置型風呂付給湯器の一部省略した断面図である。
風呂付給湯器１は浴槽水を追焚（循環および加熱）させるための循環ポンプ２とバーナ（図示略）と熱交換器（図示略）と送風ファン（図示略）とを備えるが、以下の説明においては、振動源の代表として循環ポンプ２を用い、循環ポンプ２および循環ポンプ２から発生した振動の振動伝達経路以外の構成については、その説明を省略する。
【００１７】
この風呂付給湯器１は、本体ケーシング６の下面部に、固定部材４を介して循環ポンプ２が固定される。
また、この風呂付給湯器１は、本体ケーシング６の背面上下にブラケット５ａ、５ｂを備え、このブラケット５を介してボルト１０７、ナット１０６、座金１０８などの係止部材により壁Ｗに設置される。
【００１８】
第１実施形態の機器の防振構造は、図１に示すように、風呂付給湯器１を壁面Ｗに取り付けるブラケット５ａ、５ｂ（取付部材）において制振鋼板を用いたものである。
ブラケット５ａ、５ｂは、それぞれ制振鋼板をプレスすることにより成形され、図１に示すように、建物の壁面Ｗに取り付けられる壁面取付部５１と、風呂付給湯器１の背面に取り付けられるようにした本体取付部５３と、風呂付給湯器１の背面と建物の壁面Ｗとの間に所定のスペースを確保するために両取付部５１、５３の平面位置をずらす段差部５２とから構成される。
そして、壁面取付部５１には、その左右および中央に取付孔５４ａ、５４ｂ、５４ｃが設けられている。
【００１９】
次に、上記ブラケットを用いて風呂付給湯器１を壁面Ｗに取付ける場合の取付手順を図５を用いて説明する。
本実施形態の風呂付給湯器１の壁面Ｗへの固定方法は、防振構造を持たない従来からの風呂付給湯器の固定方法と同様である。
まず、ブラケット５ａ、５ｂの本体取付部５３を、それぞれ風呂付給湯器１の背面上下部に取付ビスを用いて取り付ける。
また、風呂付給湯器１を壁面Ｗに取り付ける位置を決定し、その取付位置に応じてボルト１０７を壁に埋め込み固定する。
次に、仮止め用の木ネジＢを、風呂付給湯器１の取付位置に応じて壁面Ｗにねじこみ、上部ブラケット５ａの取付孔５４ｃに木ネジＢを引掛けることにより、風呂付給湯器１を壁面Ｗに仮止めする。
そして、下部ブラケット５ｂ、上部ブラケット５ａの順で、それぞれ取付孔５４ａ、５４ｂを貫通したボルト１０７に、座金１０８を介してナットを１０６をねじこむことにより、風呂付給湯器１を壁面Ｗに固定する。
【００２０】
次に、本実施形態で用いる制振鋼板の構造および制振機構について簡単に説明する。
制振鋼板は、２枚の鋼板の間に５０μｍ相当の粘弾性樹脂を挟み込んだ構造をしている。そして、振動が伝わった場合には、粘弾性樹脂の変形により振動エネルギーを熱エネルギーに変換し振動減衰効果を発揮する性質を持つ。
【００２１】
従って、ブラケット５ａ、５ｂとして制振鋼板を用いることにより、ブラケット５ａ、５ｂに伝播した振動エネルギーは、壁面Ｗに伝わる前に熱エネルギーとして消費される。つまり、ブラケット５ａ、５ｂから建物の壁面に与えられる振動力は、従来の制振鋼板製でないブラケットを用いた場合と比較して小さくなる。
つまり、風呂付給湯器１内部において回転駆動装置により振動が発生した場合でも、固定部材４、本体ケーシング６を通してブラケット５ａ、５ｂに伝わると振動は吸収されるため、壁面Ｗに伝播する振動は軽減されるのである。
【００２２】
このように第１実施形態の防振構造によれば、ブラケット５ａ、５ｂにおいて制振鋼板を用いたため、簡単な構造で安価に風呂付給湯器１から壁面Ｗに伝わる振動を軽減させることができる。
そのため、振動しやすい発砲コンクリート等の軽量性の壁の壁面Ｗに風呂付給湯器１を取り付けた場合であっても、風呂付給湯器１の振動に起因する居室内の騒音を防止することができる。
また、風呂付給湯器１内に振動源が循環ポンプ２以外に複数存在した場合であっても、それらの振動はブラケット５ａ、５ｂによって吸収されるため、壁面Ｗに伝わらない。
さらに、ブラケット５ａ、５ｂの形状は制振構造を持たない場合と同様であるため、風呂付給湯器１を壁Ｗに取り付ける際の施工性を悪化させない。
【００２３】
次に、第２実施形態の防振構造を図３を用いて説明する。
第２実施形態の防振構造は、風呂付給湯器１の本体ケーシング６において制振鋼板を用いたものである。
本体ケーシング６はバックカバーＢとフロントカバーＦとからなり、バックカバーＢは１枚板の制振鋼板を箱型に折り曲げることにより形成される。
バックカバーＢは、風呂付給湯器１における上面２１、下面２２、左側面２３、右側面２４、背面２５の５面を構成し、背面２５外部の上下に第１実施例と同様のブラケットを備える。
そしてバックカバーＢは、下面部２２内部において循環ポンプ２が固定部材４を介して設置される。
【００２４】
第２実施形態における風呂付給湯器１の建物の壁面への取付方法は、第１実施形態と同様である。つまり、防振構造を持たない風呂付給湯器と同様の施工方法で、壁面Ｗに取り付けることができる。
【００２５】
第２実施形態によれば、第１実施形態の効果に加え、以下の効果を奏する。
回転駆動装置が設置される本体ケーシング６によって振動を吸収することから、発生した振動が壁面Ｗに伝播しするのを確実に軽減する。
また、回転駆動装置そのものが振動により騒音を発生させる場合であっても、風呂付給湯器１から発生する騒音を軽減させることができる。そのため、住宅が密集した環境において設置する風呂付給湯器１に利用する場合には、特に有効である。
尚、上記効果は本体ケーシング６内部で発生した全ての振動を吸収することができることから、振動源を特定できない場合でも、振動に起因する居室内および設置環境の騒音を確実に防止することができる。
【００２６】
次に、第３実施形態の防振構造を図４を用いて説明する。
第３実施形態の防振構造は、図４に示すように、循環ポンプ２を本体ケーシング６へ固定するための固定部材４の材料として制振鋼板を用いたものである。
【００２７】
固定部材４は、制振鋼板をプレスすることにより成形され、図４に示すように、本体ケーシング６に取り付けられるようにしたケーシング取付部４１と、循環ポンプ２を取り付けられるようにした部品取付部４３とを備える。
ケーシング取付部４１は直径４．３ｍｍ程度の取付孔４４を備える。
また、部品取付部４３はＭ４ネジ用のバーリング孔４５を備える。
【００２８】
循環ポンプ２の本体ケーシング６への固定は、図４に示すようにまず循環ポンプ２を部品取付部４３にＭ４のネジを用いて固定した後、ケーシング取付部４３と本体ケーシング６とをＭ４のネジを用いて固定することにより行う。
また、第３実施形態における風呂付給湯器１の建物の壁面への取付方法は、第１実施形態と同様である。
【００２９】
第３実施形態にによれば、風呂付給湯器１に内蔵された循環ポンプ２の作動時において発生した振動エネルギーは、本体ケーシング６に伝わる前に固定部材４により熱エネルギーに変換されるため、本体ケーシング６に与えられる振動エネルギーは、循環ポンプ２が発生させた振動エネルギーと比較して小さい。
つまり、振動源が確定されている場合には、簡単な構成で、振動源から発生した振動エネルギーを他に伝播させる前に、確実に軽減することができる。
【００３０】
以上、本発明の実施形態について説明したが、本発明は、こうした実施形態に何ら限定されるものではなく、本発明の要旨を逸脱しない範囲において種々なる形態で実施しうることはもちろんである。
たとえば、ブラケット（取付部材）の本体ケーシングへの取付場所は、背面上下１箇所ずつに限定されるものではなく、背面中央でもよいしそれ以外でもよい。また、ブラケットの形状は実施例に限定されるものではない。
さらに、ブラケットは１部品で構成されるものに限定されず、２部品以上で形成しその１部品において制振鋼板を用いたものとしてもよい。
また、燃焼装置の壁への取付方法は、係止部材としてボルトおよびナットを用いるに限らず、壁がコンクリートの場合にはカールプラグおよび木ネジを用いてもよいし、壁が木造の場合には、木ネジのみで掛止してもよい。
さらに、制振鋼板は本体ケーシングの上面、下面、左側面、右側面、背面の全てに用いる必要はなく、前面を含めた６面のうち少なくとも１面において制振鋼板を用いればよい。
例えば、機器内に振動源が複数ある場合に、本体ケーシングの一面にのみ制振鋼板を用い、複数の振動源をその１面に限定して固定すれば、安価でかつ確実にそれらの振動を吸収することができる。
また、固定部材の形状は本実施例に限定されるものではなく、２部品以上で形成し、その１部を制振鋼板で形成したものとしてもよい。
また、振動源としてはポンプに限定されるものではなく、ポンプを駆動させるためのポンプモータや燃焼用の空気を強制供給するためのファンやファンモータの振動などに対応するものとしてもよい。
【００３１】
【発明の効果】
以上説明したように、本発明の請求項１記載の燃焼装置によれば、機器の振動は壁に伝わる前に制振鋼板により吸収される。
つまり、回転駆動装置を備えた燃焼装置を、振動の影響を受けやすい軽量性の壁の壁面に取り付けた場合であっても、回転駆動装置の振動に起因する居室内の騒音を防止することができる。
また機器内に振動源が複数存在し、振動源が特定できない場合であっても、壁面への振動伝播は取付部材により確実に軽減される。
さらに、機器を壁に取り付ける際の施工方法は、防振構造を持たない機器におけるものと同様であることから施工者への負担がない。
【００３２】
また、本発明の請求項２記載の燃焼装置によれば、機器に内蔵された回転駆動装置の振動は燃焼装置の本体ケーシングにより吸収される。
つまり、振動エネルギーの壁面への伝播を確実に軽減し居室内の騒音を抑制することができるとともに、回転駆動装置そのものが騒音を発生させた場合であっても、騒音は本体ケーシングによって吸収されるため、燃焼装置から外部環境に発せられる騒音を軽減させることができる。そのため、住宅が密集した環境において設置する燃焼装置として利用する場合に特に有効である。
また本体ケーシング内に振動源が複数あり、振動源を特定できない場合であっても、発生した振動は本体ケーシングにより確実に吸収される。
【００３３】
また、本発明の請求項３記載の燃焼装置によれば、振動源の外装部への固定を制振鋼板を用いて行うため、回転駆動装置の振動は、機器の本体ケーシングに伝わる前に固定部材により吸収される。
従って、回転駆動装置の振動は発生後、他の振動伝達経路に伝わる前に確実に吸収される。
また、回転駆動装置の振動エネルギーの壁面への伝播を軽減し居室内の騒音を抑制することができるにとどまらず、回転駆動装置において振動による騒音が発生する場合であっても、該振動は他の振動伝達経路に伝達する前に固定部材により吸収される。つまり、回転駆動装置から発せられる騒音そのものを軽減させることができる。
【図面の簡単な説明】
【図１】第１実施形態の防振構造を示す説明図である。
【図２】本実施形態の防振構造を備えた燃焼装置の説明図である。
【図３】第２実施形態の防振構造を示す説明図である。
【図４】第３実施形態の防振構造を示す説明図である。
【図５】風呂付給湯器の壁面への取付方法を示す説明図である。
【図６】従来の防振構造を示す断面図である。
【図７】従来の防振構造を備えた燃焼装置の壁面への取付方法を示す説明図である。
【符号の説明】
１  風呂付給湯器
２  循環ポンプ
４  固定部材
６  外装部
Ｗ  壁
５ａ  上部ブラケット
５ｂ  下部ブラケット
【図１】
2005009748.tif 000003
【図２】
2005009748.tif 000004
【図３】
2005009748.tif 000005
【図４】
2005009748.tif 000006
【図５】
2005009748.tif 000007
【図６】
2005009748.tif 000008
【図７】
2005009748.tif 000009